(57)【要約】【課題】基板ケースから痕跡を残すことなく封印シールを剥がす不正行為を防止する。【解決手段】基板ケース２４上のシール貼付面４４に貼付された封印シールを覆うシールカバー４７を基板ケース２４に装着し、シールカバー４７側の係合部８２を基板ケース２４に係合させて固定し、係合部８２を外部からの解除操作が不可能な状態に覆う外カバー４８をシールカバー４７に装着可能とする。シール貼付面４４には、封印シール４６の接着面が当接しない貫通状の非貼付部７５を設ける。また、外カバー４８側の第２被係合部９１に係合する第２係合部８７を、非貼付部７５に対応するようにシールカバー４７の可動部８５上に設け、外部操作により可動部８５が非貼付部７５内に嵌合することにより第２係合部８７の第２被係合部９１への係合が解除されるように構成する。これにより、シールカバー４７から外カバー４８を取り外す際に必ず封印シールが破損する。【選択図】図７
2011244991.tif 000002
【特許請求の範囲】
【請求項１】
互いに嵌め合わせ可能な甲ケース体（４１）と乙ケース体（４２）とで開閉可能に構成され且つ内部に基板（２３）を格納可能な基板ケース（２４）と、前記基板ケース（２４）上に設けられ且つ前記甲ケース体（４１）と前記乙ケース体（４２）とに跨って封印シール（４６）を貼付可能なシール貼付面（４４）と、前記基板ケース（２４）に着脱自在に装着され且つ前記シール貼付面（４４）に貼付された前記封印シール（４６）の表面を覆うシールカバー（４７）と、前記シールカバー（４７）を前記基板ケース（２４）に装着した状態で解除可能に保持する第１保持手段（８８）とを備えた遊技機において、前記シールカバー（４７）に着脱自在に装着され且つ前記第１保持手段（８８）を外部からの解除操作が不可能な状態に覆う外カバー（４８）と、前記外カバー（４８）を前記シールカバー（４７）に装着した状態で解除可能に保持する第２保持手段（９２）とを備え、前記シール貼付面（４４）上の一部に、前記封印シール（４６）の接着面が当接しない凹入状又は貫通状の非貼付部（７５）を設け、前記第２保持手段（９２）は、前記外カバー（４８）に設けられた第２被係合部（９１）と、前記シールカバー（４７）の可動部（８５）上に設けられ且つ前記第２被係合部（９１）に係脱自在に係合する第２係合部（８７）とで構成され、前記可動部（８５）は前記非貼付部（７５）に対応して設けられており、外部操作により前記可動部（８５）が前記非貼付部（７５）内に嵌合することにより前記第２係合部（８７）の前記第２被係合部（９１）への係合が解除されるように構成したことを特徴とする遊技機。
【請求項２】
前記第１保持手段（８８）は、前記基板ケース（２４）上又は前記シールカバー（４７）上に設けられた第１被係合部（７６）と、前記シールカバー（４７）上又は前記基板ケース（２４）上に設けられ且つ前記第１被係合部（７６）に係脱自在に係合して前記シールカバー（４７）の離脱を阻止する第１係合部（８２）とで構成され、前記外カバー（４８）は、前記第１保持手段（８８）をその係脱動作を許容する状態で覆っており、前記外カバー（４８）が装着された状態の前記シールカバー（４７）を前記基板ケース（２４）に装着する際、前記第１係合部（８２）は離脱方向に案内された後に前記第１被係合部（７６）に係合するように構成したことを特徴とする請求項１に記載の遊技機。
【請求項３】
前記可動部（８５）は、前記非貼付部（７５）に嵌合しない第１状態から嵌合する第２状態側に弾性変形可能であり、前記第２係合部（８７）は前記可動部（８５）の外面側に突設され、前記第２被係合部（９１）は、前記可動部（８５）が前記第１状態のときに前記第２係合部（８７）が内側から嵌合し、前記可動部（８５）が前記第２状態のときに前記第２係合部（８７）が離脱するように構成したことを特徴とする請求項１又は２に記載の遊技機。
【請求項４】
前記シール貼付面（４４）は断面略コの字状に形成され、前記非貼付部（７５）を前記シール貼付面（４４）上の互いに背対する部分に夫々配置し、前記可動部（８５）を前記非貼付部（７５）に対応して前記シールカバー（４７）上に対向して設けたことを特徴とする請求項１〜３の何れかに記載の遊技機。
【請求項５】
前記封印シール（４６）がＩＣタグシールであり、前記非貼付部（７５）及び前記可動部（８５）を前記ＩＣタグシール（４６）上のＩＣ関連部分の一部に対応して配置したことを特徴とする請求項１〜４の何れかに記載の遊技機。
【発明の詳細な説明】
【技術分野】
【０００１】
本発明は、封印シールで封印される基板ケースを備えたパチンコ機、スロットマシン等の遊技機に関するものである。
【背景技術】
【０００２】
パチンコ機、スロットマシン等の遊技機では、各種制御基板等が基板ケースに格納された状態で本体裏側等に装着されている。一般的な基板ケースは、甲ケース体と乙ケース体とを開閉可能に嵌め合わせることにより略箱形となるように構成されている。
【０００３】
また、基板ケース内の制御基板に対する不正を防止するため、一部の基板ケースでは、ＩＣタグシール等の封印シールを甲ケース体と乙ケース体とに跨るように貼付する等の対策が施される場合がある。またこの封印シールは、搬送時等に摩擦や圧力が加わることによって破損しやすく、特にＩＣタグシールを用いる場合にはＩＣチップやアンテナが破損して情報の読み取りができなくなる虞があるため、封印シールを保護するためにシールカバーを装着する場合が多い（例えば特許文献１）。
【先行技術文献】
【特許文献】
【０００４】
【特許文献１】特開２００９−１１７１６号公報
【発明の概要】
【発明が解決しようとする課題】
【０００５】
ところで、封印シールは基板ケースを開封する際には必ず破損して痕跡が残ることを前提に貼付されているが、あくまでも接着剤によって貼付されているだけであるため、特殊な道具や薬剤等を用いて痕跡を残すことなく剥がされ、再度貼付される可能性を完全に否定することはできない。
【０００６】
但し、封印シールを覆うようにシールカバーが装着されている状態では、封印シールをきれいに剥がすことは難しいため、封印シールを不正に剥がし取るためには、まずシールカバーを取り外すなどして封印シールを外部に露出させることが必要である。従って、シールカバーによる封印シールの保護を解除する際に自動的に封印シールが破損するようにできれば、痕跡を残すことなく封印シールを剥がす不正行為を効果的に防止できると考えられる。
【０００７】
本発明は、上記事情に鑑みてなされたものであり、その目的とするところは、シールカバーによる封印シールの保護を解除する際に自動的に封印シールが破損するように構成することにより、基板ケースから痕跡を残すことなく封印シールを剥がす不正行為を効果的に防止できる遊技機を提供することにある。
【課題を解決するための手段】
【０００８】
本発明は、互いに嵌め合わせ可能な甲ケース体４１と乙ケース体４２とで開閉可能に構成され且つ内部に基板２３を格納可能な基板ケース２４と、前記基板ケース２４上に設けられ且つ前記甲ケース体４１と前記乙ケース体４２とに跨って封印シール４６を貼付可能なシール貼付面４４と、前記基板ケース２４に着脱自在に装着され且つ前記シール貼付面４４に貼付された前記封印シール４６の表面を覆うシールカバー４７と、前記シールカバー４７を前記基板ケース２４に装着した状態で解除可能に保持する第１保持手段８８とを備えた遊技機において、前記シールカバー４７に着脱自在に装着され且つ前記第１保持手段８８を外部からの解除操作が不可能な状態に覆う外カバー４８と、前記外カバー４８を前記シールカバー４７に装着した状態で解除可能に保持する第２保持手段９２とを備え、前記シール貼付面４４上の一部に、前記封印シール４６の接着面が当接しない凹入状又は貫通状の非貼付部７５を設け、前記第２保持手段９２は、前記外カバー４８に設けられた第２被係合部９１と、前記シールカバー４７の可動部８５上に設けられ且つ前記第２被係合部９１に係脱自在に係合する第２係合部８７とで構成され、前記可動部８５は前記非貼付部７５に対応して設けられており、外部操作により前記可動部８５が前記非貼付部７５内に嵌合することにより前記第２係合部８７の前記第２被係合部９１への係合が解除されるように構成したものである。
【発明の効果】
【０００９】
本発明によれば、基板ケース２４の開封時に第１保持手段８８を解除してシールカバー４７を取り外す際には、まず第２保持手段９２を解除して外カバー４８をシールカバー４７から取り外す必要があるが、その際に可動部８５が非貼付部７５内に嵌合して封印シール４６が必ず破損することになるため、基板ケース２４から痕跡を残すことなく封印シール４６を剥がす不正行為を効果的に防止できる。
【００１０】
なお、シールカバー４７と外カバー４８とを貼付ベース部４５に装着する際には、まず外カバー４８をシールカバー４７に装着し、その状態で貼付ベース部４５に装着する必要がある。
【図面の簡単な説明】
【００１１】
【図１】本発明の一実施形態を示すパチンコ機の全体正面図である。
【図２】同じく遊技盤の背面図である。
【図３】同じく集球ケース及び主基板ケースの分解斜視図である。
【図４】同じく主基板ケースの背面図である。
【図５】同じく主基板ケースの要部平面断面図である。
【図６】同じく貼付ベース部、ＩＣタグシール、シールカバー及び外カバーの分解斜視図である。
【図７】同じく貼付ベース部、ＩＣタグシール、シールカバー及び外カバーの分解斜視図である。
【図８】同じく主基板ケースの結合・封印手順を示す説明図である。
【図９】同じくシールカバーの外カバーへの装着手順を示す説明図である。
【図１０】同じくシールカバー及び外カバーの貼付ベース部への装着手順を示す説明図である。
【図１１】同じく外カバーの取り外し手順を示す説明図である。
【図１２】同じくシールカバーの取り外し手順を示す説明図である。
【図１３】本発明の変更例を示す貼付ベース部、ＩＣタグシール、シールカバー及び外カバーの分解斜視図である。
【発明を実施するための形態】
【００１２】
以下、本発明の実施形態を図面に基づいて詳述する。図１〜図１２は本発明をパチンコ機に採用した一実施形態を例示している。なお、以下の説明における上下左右の方向については、特に基準を示さない限り遊技機本体を前側から見た場合の上下左右をいうものとする。
【００１３】
図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジにより前枠３に開閉自在に枢支されている。前面開閉板７には、その前側に、発射手段８に供給するための遊技球を貯留する貯留皿９、発射手段８を作動させるための発射ハンドル１０等が設けられている。
【００１４】
遊技盤５の前側には、発射手段８により発射された遊技球を案内するガイドレール１１が環状に装着されると共に、そのガイドレール１１内の遊技領域１２には、画像表示手段１３を備えたセンターケース１４の他、通過ゲート１５、開閉式入賞手段１６、大入賞手段１７、普通入賞手段１８等の各種遊技部品が装着されている。
【００１５】
また、遊技盤５の裏側には、図２に示すように、センターケース１４等の遊技部品を後側から覆う裏カバー２１と集球ケース２２とが上下に配置され、例えば集球ケース２２の背面側に主制御基板（基板）２３が格納された主基板ケース（基板ケース）２４が、裏カバー２１の背面側に演出制御基板２５が格納された演出基板ケース２６、液晶制御基板２７が格納された液晶基板ケース２８が夫々着脱自在に装着されている。
【００１６】
集球ケース２２は、開閉式入賞手段１６、大入賞手段１７、普通入賞手段１８等に入賞して遊技盤５の裏側に案内された遊技球を集めて排出口２９から回収通路（図示省略）側へと案内するためのもので、図３に示すように上面側と前面側とが開放した略箱形に形成されており、裏カバー２１の下側に近接して配置され、遊技盤５の裏側に着脱自在に固定されている。
【００１７】
集球ケース２２の背面側には、例えばその略中央に主基板ケース２４を着脱自在に装着可能な主基板ケース装着部３１が設けられ、また例えばその主基板ケース装着部３１の一側には、遊技盤５を前枠３に装着したときに前枠３側のコネクタ（図示省略）に直接結合される遊技盤側コネクタ３２が複数配置されている。主基板ケース装着部３１は、集球ケース２２の背面側に設けられた装着開口部３３と、その装着開口部３３の上下両縁側に沿って配置される装着レール３４と、主基板ケース２４の一端側、例えば左端側を支持する第１支持手段３５と、この第１支持手段３５により一端側が保持された主基板ケース２４の他端側を解除可能に保持する締結つまみ等よりなる第２支持手段３６とを備えている。
【００１８】
この主基板ケース装着部３１に装着される主基板ケース２４は、全体として扁平な略矩形状であって、図３，図４等に示すように、互いに嵌め合わせ可能な表ケース体（甲ケース体）４１と裏ケース体（乙ケース体）４２とで構成されている。そして、主基板ケース２４の外周側の一辺、例えば左右方向の一端側で且つ遊技盤側コネクタ３２と反対側には、両ケース体４１，４２に跨がる封止手段４３が例えば上下方向に複数個配置されると共に、他の一辺、例えば封止手段４３とは反対側の辺上には、両ケース体４１，４２に跨るシール貼付面４４が形成された貼付ベース部４５が設けられ、このシール貼付面４４にＩＣタグシール（封印シール）４６が貼付され、そのＩＣタグシール４６を覆うようにシールカバー４７及び外カバー４８が装着されている。
【００１９】
主制御基板２３は例えば略矩形状であって、その一面側の電子部品装着面２３ａには、中央寄りの部分にＣＰＵ，ＲＯＭ，ＲＡＭ等の電子部品４９が配置され、外縁部近傍には複数のコネクタ５０が配置されている。
【００２０】
表ケース体４１は、例えば透明な合成樹脂製で、主制御基板２３の電子部品装着面２３ａ側に対向する主膨出部５１と、主制御基板２３の各コネクタ５０に対応して主膨出部５１の周辺部に形成された段部５２〜５４と、この段部５２〜５４よりも裏ケース体４２側に突出する嵌合周壁部５５とを一体に備え、この嵌合周壁部５５の内側に主制御基板２３が装着、固定され、各段部５２〜５４に形成された開口からコネクタ５０が外部に突出するようになっている。
【００２１】
裏ケース体４２は、例えば透明な合成樹脂製で、偏平な底板５６と、この底板５６の外周から表ケース体４１側に突出し且つ表ケース体４１の嵌合周壁部５５が嵌脱自在に内嵌する嵌合周壁部５７とを一体に備えている。また、例えば裏ケース体４２の外縁部には、主基板ケース装着部３１の第２支持手段３６が係脱自在に係合する被係合部３６ａが外向きに一体形成されている。
【００２２】
表ケース体４１と裏ケース体４２とは、夫々の嵌合周壁部５５，５７が互いに嵌合するように嵌め合わされた状態で、その上下両側の側部係合手段５８によって閉状態にロックされる。即ち、側部係合手段５８は、表ケース体４１の嵌合周壁部５５の上下二辺に沿って左右方向に所定間隔で複数個配置された外向き突出状の係合爪６１と、裏ケース体４２の嵌合周壁部５７の上下二辺に沿って各係合爪６１に対応して配置された複数個の切欠部６２と、同じく裏ケース体４２の嵌合周壁部５７の上下二辺に沿って各切欠部６２に隣接して設けられた複数の係合部６３とで構成されており、係合爪６１を夫々切欠部６２に嵌合させるように両ケース体４１，４２を嵌め合わせ（アンロック状態）、表ケース体４１を裏ケース体４２に対して左右方向の一方側に向けて相対的にスライドさせたとき（以下、この方向をスライド方向という）、各係合爪６１が係合部６３に夫々係合して、表ケース体４１と裏ケース体４２とが互いに結合状態でロックされる（ロック状態）ようになっている。
【００２３】
なお、表ケース体４１の上下の二辺には、図３に示すように嵌合周壁部５５の内側に夫々裏ケース体４２の嵌合周壁部５７の嵌合代を挟んで内壁６４が設けられ、側部係合手段５８に生じる隙間を内側から塞いでいる。
【００２４】
封止手段４３は、表ケース体４１側に設けられた封止ピン６５と、裏ケース体４２側に設けられたピン嵌合部６６とで構成されており、表ケース体４１と裏ケース体４２とがロック状態のときに封止ピン６５が押し込まれることにより、この封止ピン６５がピン嵌合部６６に離脱操作不能に嵌合すると共に表ケース体４１側の規制片（図示省略）に係合して、表ケース体４１の裏ケース体４２に対するアンロック状態側へのスライド、即ち主基板ケース２４の開封を阻止するようになっている。主基板ケース２４を開封する際には、表ケース体４１側の規制片をニッパー等により切断、除去して、表ケース体４１の裏ケース体４２に対するアンロック状態側へのスライドを許容してやればよい。なお、封止手段４３は複数、例えば二つ設けられており、一旦開封した後に再度封止することが可能となっている。
【００２５】
貼付ベース部４５は、例えば主基板ケース２４における封止手段４３とは反対側の辺上に設けられており、図５〜図７等に示すように、表ケース体４１側の表ケース側ベース部４５ａと、裏ケース体４２側の裏ケース側ベース部４５ｂとを備え、表ケース体４１と裏ケース体４２とがロック状態となったとき、表ケース側ベース部４５ａと裏ケース側ベース部４５ｂとがスライド方向に互いに一致して１つの箱状体を形成するように構成されている。
【００２６】
表ケース側ベース部４５ａと裏ケース側ベース部４５ｂとは、例えば主制御基板２３と平行な平面に対して略対称に形成されており、各ケース体４１，４２の各嵌合周壁部５５，５７から外向きに突設され且つ互いに平行な矩形状に形成された一対の対向ベース板７１ａ，７１ｂと、これら対向ベース板７１ａ，７１ｂの先端側の縁部から互いに対向する側に延設された先端ベース板７２ａ，７２ｂと、対向ベース板７１ａ，７１ｂの両側の縁部から先端ベース板７２ａ，７２ｂと同方向に延設された側端ベース板７３ａ，７３ｂとを備え、表ケース体４１と裏ケース体４２とがロック状態となったとき、先端ベース板７２ａ，７２ｂが互いに連結されて１つの先端ベース板７２を形成し、また側端ベース板７３ａ，７３ｂが互いに連結されて一対の側端ベース板７３，７３を形成するようになっている。また、側端ベース板７３ａ，７３ｂは、対向ベース板７１ａ，７１ｂ側の各縁部が対向ベース板７１ａ，７１ｂの表面よりも外側に突設されて夫々案内リブ７４を形成している。
【００２７】
この貼付ベース部４５上のシール貼付面４４は、対向ベース板７１ａの外面側から先端ベース板７２の外面側を経て対向ベース板７１ｂの外面側に至る表面領域で構成されており、ＩＣタグシール４６はこのシール貼付面４４の形状に合わせてコの字型に折り曲げつつ貼付されるようになっている。なお、このシール貼付面４４のうち、対向ベース板７１ａから先端ベース板７２ａに対応する部分を表ケース側貼付面４４ａ、対向ベース板７１ｂから先端ベース板７２ｂに対応する部分が裏ケース側貼付面４４ｂとする。
【００２８】
このシール貼付面４４に貼付されるＩＣタグシール４６は、図３に示すように、片面側が予め接着剤が塗布された接着面となっている略矩形状のベースシート４６ａと、このベースシート４６ａ上の所定位置、例えば略中心部に配置されるＩＣチップ４６ｂと、ベースシート４６ａに沿って配置され且つ読み取り機からの磁場を受けたときの電磁誘導作用による起電力をＩＣチップ４６ｂに供給するアンテナ４６ｃとで構成されている。ＩＣチップ４６ｂには、当該パチンコ機の機種、制御基板の製造番号等の管理情報が記録されており、またベースシート４６ａの表面には例えばその管理情報と対応付けられた識別番号その他の識別情報が表示されている。
【００２９】
また、貼付ベース部４５上には、表ケース側貼付面４４ａと裏ケース側貼付面４４ｂとに対応して、対向ベース板７１ａ，７１ｂの板厚方向に貫通する一対の開口部７５，７５が形成され、また側端ベース板７３，７３上には一対の第１被係合部７６，７６が例えば貫通状に形成されている。
【００３０】
開口部７５は、ＩＣタグシール４６の接着面が当接しない非貼付部を構成するもので、例えば対向ベース板７１ａ，７１ｂの略中央に対応して所定方向、例えば貼付ベース部４５の突出方向に沿う長孔状に形成されており、その一端側、例えば各嵌合周壁部５５，５７側が円弧状に形成されている。なお、この開口部７５は、ＩＣタグシール４６上のＩＣ関連部分の一部、例えばアンテナ４６ｃ上に対応して配置することが望ましい。また、被係合部７６は、例えば側端ベース板７３上における各嵌合周壁部５５，５７側の端部近傍に、側端ベース板７３ａ，７３ｂに跨って設けられている。
【００３１】
シールカバー４７は、シール貼付面４４に貼付されたＩＣタグシール４６の表面を覆って保護するためのもので、図５〜図７等に示すように、シール貼付面４４上に貼付されたＩＣタグシール４６の表面を覆うカバー部８１と、貼付ベース部４５側の被係合部７６に対応する一対の第１係合部８２とを備え、例えば透明な合成樹脂により一体に形成されている。
【００３２】
カバー部８１は、対向ベース板７１ａ，７１ｂの外面に沿う矩形状に形成された一対の対向カバー部８３，８３と、先端ベース板７２の外面に沿う矩形状に形成された先端カバー部８４とを一体に備えた断面コの字型に形成され、案内リブ７４に沿って貼付ベース部４５の突出方向に着脱可能であり、貼付ベース部４５に装着されたとき、その内面側がシール貼付面４４上に貼付されたＩＣタグシール４６の全面を覆うようになっている。
【００３３】
また、対向カバー部８３，８３上には、貼付ベース部４５側の開口部７５に対応する一対の可動片（可動部）８５，８５が設けられている。即ち、対向カバー部８３，８３上には、開口部７５の外縁に沿って、その開口部７５の長手方向の一端側（ここでは先端ベース板７２側の端部）を除く例えばＵ字状のスリット８６が形成されており、そのスリット８６の内側の片持ち部分が可動片８５となっている。更に、可動片８５の先端側には、外向きに突出する例えば円形の第２係合部８７が一体に形成されている。
【００３４】
可動片８５は、対向カバー部８３の面外方向に弾性変形可能であり、図１１（ａ）に示すように第２係合部８７全体が対向カバー部８３の表面から突出しない位置まで内向きに押圧されたときにその可動端側が開口部７５内に嵌合し（以下、第２状態という）、図１１（ｂ）に示すように、内向きの押圧が解除されたときにその弾性力によって開口部７５の外側に退避する（以下、第１状態という）ようになっている。
【００３５】
第１係合部８２は、貼付ベース部４５側の第１被係合部７６と共に、シールカバー４７を主基板ケース２４に装着した状態を解除可能に保持する第１保持手段８８を構成するもので、例えば先端カバー部８４の両端側から側端ベース板７３の外面に沿って嵌合周壁部５５，５７側に突設されており、側端ベース板７３の面外方向に弾性変形可能となっている。また、第１係合部８２の先端側には、その対向面側に、第１被係合部７６に係合する爪部８２ａが、先端側に向けて細くなるテーパー状に形成されている。
【００３６】
シールカバー４７を貼付ベース部４５に装着する際には、このテーパー状の爪部８２ａに案内されて第１係合部８２が外向きに弾性変形した状態で側端ベース板７３の外面を摺動し、カバー部８１がシール貼付面４４の全面を完全に覆ったとき、第１係合部８２の内向きの付勢力によって爪部８２ａが第１被係合部７６に係合して、シールカバー４７の離脱方向の移動を阻止するようになっている。
【００３７】
外カバー４８は、シールカバー４７の装着状態を保持する第１保持手段８８を外部からの解除操作が不可能な状態に覆うためのもので、図５〜図７に示すように、シールカバー４７のカバー部８１を覆う本体カバー部４８ａと、この本体カバー部４８ａの両側部で第１係合部８２を覆うサイドカバー部４８ｂとを備え、例えば透明な合成樹脂により、一面側が着脱口８９として開放された略箱形に一体形成されている。そして、シールカバー４７と共に貼付ベース部４５に装着されたとき、着脱口８９側の縁部が嵌合周壁部５５，５７に当接又は近接して、外カバー４８の外側から貼付ベース部４５の全体を覆うようになっている。
【００３８】
本体カバー部４８ａは、カバー部８１の外面側を略隙間なく覆う略コの字型に形成されており、対向ベース板７１ａ，７１ｂの外面を覆う部分には、第２係合部８７に対応する第２被係合部９１が、板厚方向に貫通する開口状に形成されている。この第２被係合部９１は、シールカバー４７側の第２係合部８７と共に、外カバー４８をシールカバー４７に装着した状態を解除可能に保持する第２保持手段９２を構成するもので、外カバー４８がシールカバー４７を完全に覆う状態に装着されたとき、第１状態に付勢されている可動片８５上の第２係合部８７が内側から嵌合して、外カバー４８に対するシールカバー４７の離脱方向の移動を阻止するようになっている。
【００３９】
なお、第２係合部８７が第２被係合部９１に嵌合した状態では第２係合部８７の先端面８７ａが外部に露出するため、この先端面８７ａを内向きに押圧して可動片８５を第２状態まで変形させることにより、第２係合部８７の第２被係合部９１に対する係合を解除して外カバー４８をシールカバー４７から取り外すことができる。逆に外カバー４８をシールカバー４７に装着する際にも、第２係合部８７の先端面８７ａ内向きに押圧して可動片８５を第２状態まで変形させた状態で行えばよい。
【００４０】
サイドカバー部４８ｂは、例えばその一部が第１係合部８２に対応する膨出状に形成されているが、第１係合部８２の第１被係合部７６に対する係脱動作を許容するように、第１係合部８２の外側に一定の隙間が形成されている（図１０）。
【００４１】
以上のような主基板ケース２４を組み立てる際には、まず表ケース体４１の内側に主制御基板２３を装着、固定し、その表ケース体４１の裏側から裏ケース体４２を嵌め合わせ、係合爪６１を夫々切欠部６２に嵌合させてアンロック状態とする（図８（ａ）→（ｂ））。このとき、表ケース側ベース部４５ａと裏ケース側ベース部４５ｂとはスライド方向にずれた位置にある。
【００４２】
次に、表ケース体４１と裏ケース体４２とを互いに相対的にスライドさせて、各係合爪６１を係合部６３に係合させ、表ケース体４１と裏ケース体４２とを閉状態でロックする（図８（ｂ）→（ｃ））。これにより、表ケース側ベース部４５ａと裏ケース側ベース部４５ｂとがスライド方向に互いに一致して貼付ベース部４５が形成される。
【００４３】
そして、複数のうちの一つの封止手段４３の封止ピン６５を押し込んで主基板ケース２４を閉状態で封止する（図示省略）と共に、貼付ベース部４５上のシール貼付面４４に、表ケース側貼付面４４ａと裏ケース側貼付面４４ｂとに跨るようにＩＣタグシール４６をコの字型に折り曲げつつ貼付することにより封印する（図８（ｃ））。
【００４４】
続いて、このＩＣタグシール４６を保護するべく、貼付ベース部４５にシールカバー４７と外カバー４８とを装着するが、その装着順序が重要であり、まず外カバー４８内にシールカバー４７を装着する。即ち、シールカバー４７の両面側に突出する一対の第２係合部８７，８７を内向きに押圧し、可動片８５をその弾性力に抗して第２状態まで変形させ、その状態で第２係合部８７，８７を外カバー４８の着脱口８９の内側に挟み込ませるようにシールカバー４７を外カバー４８内に挿入する（図９（ａ））。そして、そのままシールカバー４７を外カバー４８の奥まで押し込み、第２係合部８７，８７が外カバー４８側の第２被係合部９１，９１の位置に到達すると、可動片８５がその弾性力によって元の第１状態に復帰し、第２係合部８７，８７が第２被係合部９１，９１に内側から嵌合してシールカバー４７と外カバー４８とが一体化された状態となる（図９（ｂ））。
【００４５】
続いて、その一体化されたシールカバー４７と外カバー４８との開口側を、貼付ベース部４５の先端側に嵌め込んで奥までスライドさせる（図１０（ａ）→（ｂ））。このとき、シールカバー４７の第１係合部８２は、テーパー状の爪部８２ａに案内されてサイドカバー部４８ｂ内で外向きに弾性変形した状態で側端ベース板７３の外面を摺動し（図１０（ａ））、カバー部８１がシール貼付面４４の全面を完全に覆ったとき、第１係合部８２の内向きの弾性力によって爪部８２ａが第１被係合部７６に係合する（図１０（ｂ））。これにより、シールカバー４７の貼付ベース部４５に対する離脱方向の移動が阻止される。しかも、第１係合部８２と第１被係合部７６との係合部分は外カバー４８によって完全に覆われているため、外カバー４８の外側からそれらの係合を解除することはできない。従って、シールカバー４７を貼付ベース部４５から取り外してＩＣタグシール４６を再び露出させるためには、先に外カバー４８を取り外して第１係合部８２の解除操作ができる状態にしなければならない。
【００４６】
検査等のために主基板ケース２４を開封する場合には、封止手段４３による封止を解除すると共に、外カバー４８、シールカバー４７の順に貼付ベース部４５から取り外す。外カバー４８を取り外す際には、第２被係合部９１，９１に嵌合している第２係合部８７，８７を内向きに押圧して第２被係合部９１，９１への係合を解除し（図１１（ａ））、その状態で外カバー４８を引き抜けばよい（図１１（ｂ））。
【００４７】
しかしながらその際、可動片８５が内向きに弾性変形して第２状態となり、可動端側が開口部７５内に嵌合するため、ＩＣタグシール４６上の開口部７５に対応する部分が面外方向に押されて破損する（図１１（ａ））。即ち、本実施形態のパチンコ機では、ＩＣタグシール４６を露出させる際にはシールカバー４７よりも先に外カバー４８を取り外す必要があり、またその外カバー４８を取り外す際には必ずＩＣタグシール４６が破損するようになっている。
【００４８】
なお、開口部７５及び可動片８５がＩＣタグシール４６上のＩＣ関連部分の一部、例えばアンテナ４６ｃ上に対応して配置されている場合には、外カバー４８を取り外す際にＩＣタグシール４６が破損することによりアンテナ４６ｃが損傷し、ＩＣチップ４６ｂに記憶された情報の読み取りが不可能となる。
【００４９】
外カバー４８を取り外せば、第１係合部８２が露出するため、この第１係合部８２の第１被係合部７６への係合を解除し（図１２（ａ））、そのままシールカバー４７を引き抜くことによって貼付ベース部４５から容易に取り外すことができる（図１２（ｂ））。
【００５０】
なお、シールカバー４７と外カバー４８とを貼付ベース部４５に装着する際に、外カバー４８を先に貼付ベース部４５に装着してその後で外カバー４８を装着するという手順で作業を行ってはならないという点に注意が必要である。このような手順で作業を行うと、外カバー４８を装着する際に、シールカバー４７の第２係合部８７，８７を内向きに押圧することによってＩＣタグシール４６が破損してしまう。
【００５１】
以上説明したように、本実施形態のパチンコ機では、シールカバー４７に着脱自在に装着され且つ第１保持手段８８を外部からの解除操作が不可能な状態に覆う外カバー４８と、この外カバー４８をシールカバー４７に装着した状態で解除可能に保持する第２保持手段９２とを備え、シール貼付面４４上の一部に、ＩＣタグシール（封印シール）４６の接着面が当接しない貫通状の開口部（非貼付部）７５を設け、第２保持手段９２は、外カバー４８に設けられた第２被係合部９１と、シールカバー４７の可動片（可動部）８５上に設けられ且つ第２被係合部９１に係脱自在に係合する第２係合部８７とで構成され、可動片８５は開口部７５に対応して設けられており、外部操作により可動片８５が開口部７５内に嵌合することにより第２係合部８７の第２被係合部９１への係合が解除されるように構成しているため、主基板ケース２４の開封時に、第１保持手段８８を解除してシールカバー４７を取り外す際には、まず第２保持手段９２を解除して外カバー４８をシールカバー４７から取り外す必要があるが、その際に可動片８５が開口部７５内に嵌合してＩＣタグシール４６が必ず破損することになるため、主基板ケース２４から痕跡を残すことなくＩＣタグシール４６を剥がす不正行為を効果的に防止できる。
【００５２】
しかも、主基板ケース２４の開封時にはＩＣタグシール４６は破損するがシールカバー４７と外カバー４８とについては破損しないため、シールカバー４７と外カバー４８とを再利用できるという利点もある。
【００５３】
なお、シールカバー４７と外カバー４８とを貼付ベース部４５に装着する際には、まず外カバー４８をシールカバー４７に装着し、その状態で貼付ベース部４５に装着する必要があるが、第１保持手段８８は、主基板ケース２４上の貼付ベース部４５に設けられた第１被係合部７６と、シールカバー４７上に設けられ且つ第１被係合部７６に係脱自在に係合してシールカバー４７の離脱を阻止する第１係合部８２とで構成され、外カバー４８は、第１保持手段８８をその係脱動作を許容する状態で覆っており、外カバー４８が装着された状態のシールカバー４７を主基板ケース２４に装着する際、第１係合部８２は離脱方向に案内された後に第１被係合部７６に係合するように構成されているため、シールカバー４７と外カバー４８との結合体を貼付ベース部４５に装着する操作を極めて容易且つ確実に行うことができる。
【００５４】
また、可動片８５は、開口部７５に嵌合しない第１状態から嵌合する第２状態側に弾性変形可能であり、第２係合部８７は可動片８５の外面側に突設され、第２被係合部９１は、可動片８５が第１状態のときに第２係合部８７が内側から嵌合し、可動片８５が第２状態のときに第２係合部８７が離脱するように構成されているため、シールカバー４７に対する外カバー４８の着脱操作を極めて容易且つ確実に行うことができる。
【００５５】
シール貼付面４４は断面略コの字状に形成され、開口部７５をシール貼付面４４上の互いに背対する部分に夫々配置し、可動片８５を開口部７５に対応してシールカバー４７上に対向して設けているため、外カバー４８をシールカバー４７取り外す際には一対の可動片８５を互いに向かい合う方向に押圧すればよく、操作がやりやすいという利点がある。
【００５６】
更に、開口部７５及び可動片８５をＩＣタグシール４６上のＩＣ関連部分の一部に対応して配置すれば、ＩＣタグシール４６の破損によりＩＣチップ４６ｂに記憶された情報の読み取りが不可能となるため、主基板ケース２４が開封された際に見た目上の痕跡だけでなく機能上の痕跡を残すことができる。
【００５７】
以上、本発明の実施形態について詳述したが、本発明はこれらの実施形態に限定されるものではなく、本発明の趣旨を逸脱しない範囲で種々の変更が可能である。例えば、実施形態ではシール貼付面４４が断面略コの字状に形成され、表ケース側貼付面４４ａと裏ケース側貼付面４４ｂとが一部背対するように形成された例を示したが、図１３に示すように、甲ケース体４１と乙ケース体４２とを嵌め合わせて閉状態になったときに表ケース側貼付面４４ａと裏ケース側貼付面４４ｂとが１つの平面（又は曲面）を形成するように構成された基板ケースにも適用可能である。
【００５８】
即ち図１３の例では、基板ケースが閉状態のときに、表ケース体４１側の対向ベース板７１ａ、側端ベース板７３ａと裏ケース体４２側の対向ベース板７１ｂ、側端ベース板７３ｂが夫々スライド方向に連結され、対向ベース板７１ａ，７１ｂ上の表ケース側貼付面４４ａと裏ケース側貼付面４４ｂとが連結されて一つの平面状のシール貼付面４４が形成されるようになっている。そして、その表ケース側貼付面４４ａと裏ケース側貼付面４４ｂとに跨って開口部（非貼付部）７５が形成され、側端ベース板７３ａ（又は側端ベース板７３ｂ）上に第１被係合部７６が形成されている。シールカバー４７及び外カバー４８は実施形態と同様である。この例の場合も、実施形態と同様の手順でシールカバー４７及び外カバー４８を着脱することができ、また実施形態と同様の効果を奏するものである。
【００５９】
このように、甲ケース体４１側の貼付面４４ａと乙ケース体４２側の貼付面４４ｂとは、甲ケース体４１と乙ケース体４２とが嵌め合わされたときに互いに連結して１つのシール貼付面４４を形成するものであればよく、甲ケース体４１と乙ケース体４２との嵌め合わせ構造や、甲ケース体側貼付面４４ａと乙ケース体側貼付面４４ｂとの配置関係等は任意である。また、封止手段４３の構成も任意である。
【００６０】
シールカバー４７を基板ケース２４に装着した状態で解除可能に保持する第１保持手段８８、外カバー４８をシールカバー４７に装着した状態で解除可能に保持する第２保持手段９２の構成も任意であり、例えば第１保持手段８８については、基板ケース２４側の貼付ベース部４５に爪状の第１係合部８２を、シールカバー４７側にその第１係合部８２が係合する例えば開口状の第１被係合部７６を設けてもよい。
【００６１】
非貼付部７５は、可動部８５が嵌合可能であればよく、例えば凹入状に形成してもよい。可動部８５は別途バネ部材により第２状態から第１状態に付勢してもよい。
【００６２】
封印シール４６はＩＣタグシールでなくてもよい。また基板ケース２４は主制御基板２３を格納するものに限られず、例えば演出制御基板２５を格納する演出基板ケース２６、払い出し制御基板を格納する払い出し基板ケース等についても同様に実施可能である。更に、実施形態では本発明をパチンコ機に適用した例を示したが、アレンジボール機、スロットマシン等の各種遊技機において同様に実施可能であることは言うまでもない。
【符号の説明】
【００６３】
２３  主制御基板（基板）
２４  主基板ケース（基板ケース）
４１  表ケース体（甲ケース体）
４２  裏ケース体（乙ケース体）
４４  シール貼付面
４６  ＩＣタグシール（封印シール）
４７  シールカバー
４８  外カバー
７５  開口部（非貼付部）
７６  第１被係合部
８２  第１係合部
８５  可動片（可動部）
８７  第２係合部
８８  第１保持手段
９１  第２被係合部
９２  第２保持手段
【図１】
2011244991.tif 000003
【図２】
2011244991.tif 000004
【図３】
2011244991.tif 000005
【図４】
2011244991.tif 000006
【図５】
2011244991.tif 000007
【図６】
2011244991.tif 000008
【図７】
2011244991.tif 000009
【図８】
2011244991.tif 000010
【図９】
2011244991.tif 000011
【図１０】
2011244991.tif 000012
【図１１】
2011244991.tif 000013
【図１２】
2011244991.tif 000014
【図１３】
2011244991.tif 000015